【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
組み立て機械であって、
複数の軌道モジュールであって、各軌道モジュールは軌道部分を含み、前記複数の軌道モジュールは連続的周回軌道を形成するように連結可能であり、前記連続的周回軌道は分配ヘッドを受け入れ、該分配ヘッドは前記連続的周回軌道の周りを回転し、少なくとも部分的に未完成製品を組み立てる、複数の軌道モジュールと、
前記連続的周回軌道の第１の長さ部分に取り付けられ、前記分配ヘッドに部品を供給する第１のフィーダーモジュールと、
前記連続的周回軌道の第２の長さ部分に取り付けられ、前記未完成製品を受け取る第１の設置モジュールと、を備え、
前記分配ヘッドは前記部品を前記未完成製品に設置し、
前記組み立て機械は、前記複数の軌道モジュール、前記第１のフィーダーモジュール、および、前記第１の設置モジュールの１つまたは複数を取り付けるか取り除くことにより再構成可能である、組み立て機械。
【請求項２】
前記再構成は、前記複数の軌道モジュールの１つまたは複数を取り付けるか取り除くことで、フィーダーモジュールまたは設置モジュールを受け入れるか取り除くことによりなされる、請求項１に記載の組み立て機械。
【請求項３】
前記再構成は、前記連続的周回軌道を再構成することなく、第２の設置モジュールを第２のフィーダーモジュールと置き換えるか、前記第１のフィーダーモジュールを前記第２の設置モジュールと置き換えることによりなされる、請求項１に記載の組み立て機械。
【請求項４】
前記連続的周回軌道は機械加工なしで再構成可能である、請求項１に記載の組み立て機械。
【請求項５】
前記連続周回軌道は、標準的なハンドツールで再構成できる、請求項１に記載の組み立て機械。
【請求項６】
前記組み立て機械はプリント回路基板を組み立てるためのピックアンドプレース機械であり、
前記分配ヘッドはピックアンドプレースヘッドであって、ピックアンドプレース用のノズルを含む、請求項１に記載の組み立て機械。
【請求項７】
前記連続周回軌道は１〜Ｎ個の分配ヘッドを有して稼働するようにプログラムされ、
前記Ｎ個は前記連続周回軌道上に物理的に設置可能な前記分配ヘッドの数の最大の個数である、請求項１に記載の組み立て機械。
【請求項８】
前記連続周回軌道における最も遅いステップがボトルネックとなるまで、前記組み立て機械に加えられる追加的な前記分配ヘッドの各々が、前記組み立て機械に対して追加的な出力を追加する、請求項６に記載の組み立て機械。
【請求項９】
前記連続周回軌道は、前記分配ヘッドを動かす永久磁石リニアモーターシステムを有する、請求項１に記載の組み立て機械。
【請求項１０】
前記連続周回軌道は、通気分配システムを有し、
前記通気分配システムは、前記分配ヘッドが移動または静止している間、前記連続的周回軌道に沿ういかなる位置にある分配ヘッドに対しても空気を分配できるものである、請求項１に記載の組み立て機械。
【請求項１１】
前記連続周回軌道は、前記分配ヘッドに対して電力を供給する、請求項１に記載の組み立て機械。
【請求項１２】
組み立て方法であって、
複数の軌道モジュールにわたって搭載される連続的周回軌道を準備することと、
前記連続的周回軌道により分配ヘッドを受け入れることと、
前記連続的周回軌道の第１の長さ部分に対して第１のフィーダーモジュールを搭載することと、
前記連続的周回軌道の第２の長さ部分に対して第１の設置モジュールを搭載することと、
前記連続的周回軌道の周りに前記分配ヘッドを回転させることと、
前記分配ヘッドにより未完成製品を少なくとも部分的に組み立てることと、
前記複数の軌道モジュール、前記第１のフィーダーモジュール、および、前記第１の設置モジュールの一つまたは複数を取り付けることと、前記複数の軌道モジュール、前記第１のフィーダーモジュール、前記第１の設置モジュールの一つまたは複数を取り除くことの少なくとも一方により、組み立て機械を再構成することと、を含む組み立て方法。
【請求項１３】
前記連続周回軌道の第３の長さ部分に対して第２の設置モジュールを搭載することと、
前記連続周回軌道を再構成することなく、前記第２の設置モジュールを第２のフィーダーモジュールにより置き換えることを更に含む、請求項１２に記載の組み立て方法。
【請求項１４】
前記連続周回軌道を再構成することなく、前記第１のフィーダーモジュールを第２の設置モジュールにより置き換えることを更に含む、請求項１２に記載の組み立て方法。
【請求項１５】
前記連続周回軌道を機械加工なしで再構成することを更に含む、請求項１２に記載の方法。
【請求項１６】
前記連続周回軌道を標準的なハンドツールで再構成することを更に含む、請求項１２に記載の方法。
【請求項１７】
前記組み立て機械はプリント回路基板を組み立てるためのピックアンドプレース機械であり、
前記分配ヘッドはピックアンドプレースヘッドであって、ピックアンドプレース用のノズルを含む、請求項１２に記載の組み立て方法。
【請求項１８】
永久磁石リニアモーターシステムによって前記分配ヘッドを前記連続周回軌道に沿って動かすことを更に含む、請求項１２に記載の組み立て方法。
【請求項１９】
前記連続周回軌道を用いて前記分配ヘッドに対して電力を供給することを更に含む、請求項１２に記載の組み立て方法。
【請求項２０】
プリント回路基板を組み立てるためのピックアンドプレース機械であって、
複数の軌道モジュールであって、各軌道モジュールは軌道部分を含み、前記複数の軌道モジュールは連続的周回軌道を形成するように連結可能であり、前記連続的周回軌道は複数のピックアンドプレースヘッドを受け入れ、該複数のピックアンドプレースヘッドは前記連続的周回軌道の周りを回転する、複数の軌道モジュールと、
前記連続的周回軌道の第１の長さ部分に取り付けられ、前記ピックアンドプレースヘッドに部品を供給する第１のフィーダーモジュールと、
前記連続的周回軌道の第２の長さ部分に取り付けられ、未完成の前記プリント回路基板を受け取る第１の設置モジュールと、を備え、
前記ピックアンドプレースヘッドは未完成の前記部品を未完成の製品に設置する、ピックアンドプレース機械。
【手続補正２】
【補正対象書類名】明細書
【補正対象項目名】００８６
【補正方法】変更
【補正の内容】
【００８６】
クライアント、サーバおよびプロキシコンピュータ（図示せず）に手動で直接プログラムコード１００７をロードし、コンピュータ可読な記憶媒体（例えばコンピュータデータ記憶装置１０１１）にプログラムコード１００７をロードすることによって、本明細書に記載の処理を行なう方法を実行するためのプログラムコード１００７が展開されるものとしてもよい。中央サーバ（例えば制御システム１０００または分配ヘッド制御システム）または中央サーバのグループへプログラムコード１００７を送信することによって、プログラムコード１００７が自動的または半自動的に制御システム１０００または分配ヘッド制御システムへ展開されるものとしてもよい。プログラムコード１００７は、その後、プログラムコード１００７を実行するクライアントコンピュータ（図示せず）へダウンロードされるものとしてもよい。
【手続補正３】
【補正対象書類名】明細書
【補正対象項目名】００８９
【補正方法】変更
【補正の内容】
【００８９】
一実施形態において、本明細書に記載の処理を行なう方法を実行するためのプログラムコード１００７は、ソフトウェアアプリケーション（図示せず）、オペレーティングシステム（図示せず）およびネットワークオペレーティングシステムソフトウェア（図示せず）と共存するプログラムコード１００７を準備し、その後、プログラムコード１００７が機能する環境においてプログラムコード１００７をクライアントとサーバにインストールすることで、クライアント、サーバおよびネットワーク環境へ統合される。